(57)【特許請求の範囲】
【請求項１】
浴槽に設けられたＬＥＤの光を用いた演出照明器を、浴室内を照らす室内照明器と連動させ、前記演出照明器の作動時には、前記室内照明器の明るさを低下またはＯＦＦさせるように構成した演出照明装置において、
前記演出照明器は浴槽の側壁面の開口に取り付けられて、浴槽内の水中に没する部位に設けられ、赤，緑，青のＬＥＤの光で多くの色を発光可能に構成されてなり、
演出照明装置の操作スイッチ部により、前記演出照明器の光の色の切り替え操作ができるとともに、前記室内照明器の光量を操作できるように構成され、
該操作スイッチ部には、１つの透光窓が設けられ、
前記演出照明器の作動時には、操作スイッチ部内の赤，緑，青のＬＥＤを介し、演出照明器から発せられる光と同色の色を該透光窓から外側へ照射させ、
前記演出照明器がＯＦＦされ室内照明器が点灯された状態では、操作スイッチ部内の別の調光レベル用の複数のＬＥＤを介し、該室内照明器の光量に対応した明るさの光が前記透光窓から漏れ出すように構成したこと
を特徴とする演出照明装置。
【発明の詳細な説明】
【０００１】
【産業上の利用分野】
この発明は、浴槽の水中を良好に演出照明できる演出照明装置に関するものである。
【０００２】
【従来の技術及びその課題】
近年、小型のＬＥＤ（発光ダイオード）である程度の照度の取れるものが市場に登場してきており、浴室内や浴槽の水中にＬＥＤからの光を照射させて演出できる演出照明装置を発明者は既に出願しているが、演出照明装置を作動させる時には浴室内を暗くする必要があり、その場合に、操作スイッチの位置が判りにくくなるという問題点があった。
また、赤，緑，青のＬＥＤを用いて多くの色を発光させようとする場合、操作性が悪く、また、発光される各色毎に表示部を設けると、表示部が多くなってしまうという問題点があった。
【０００３】
【課題を解決するための手段】
本発明は上記従来の問題点に鑑み案出したものであって、操作性が良好となる演出照明装置を提供せんことを目的とし、その要旨は、浴槽に設けられたＬＥＤの光を用いた演出照明器を、浴室内を照らす室内照明器と連動させ、前記演出照明器の作動時には、前記室内照明器の明るさを低下またはＯＦＦさせるように構成した演出照明装置において、前記演出照明器は浴槽の側壁面の開口に取り付けられて、浴槽内の水中に没する部位に設けられ、赤，緑，青のＬＥＤの光で多くの色を発光可能に構成されてなり、演出照明装置の操作スイッチ部により、前記演出照明器の光の色の切り替え操作ができるとともに、前記室内照明器の光量を操作できるように構成され、該操作スイッチ部には、１つの透光窓が設けられ、前記演出照明器の作動時には、操作スイッチ部内の赤，緑，青のＬＥＤを介し、演出照明器から発せられる光と同色の色を該透光窓から外側へ照射させ、前記演出照明器がＯＦＦされ室内照明器が点灯された状態では、操作スイッチ部内の別の調光レベル用の複数のＬＥＤを介し、該室内照明器の光量に対応した明るさの光が前記透光窓から漏れ出すように構成したことである。
【０００４】
【実施例】
以下、本発明の実施例を図面に基づいて説明する。
図１は、浴室の配管及び配線構成図であり、本例では、浴槽内の水中を良好に演出照明できる装置を例示しており、浴室１には浴槽２が設置されて、この浴槽２の側壁面には水中照明器３が取り付けられたものとなっており、また、浴槽２の底側から気泡を噴出させることができるように、噴気口４が浴槽２の底面に設けられたものとなっている。また、浴室１内には壁付け照明器５が設けられており、浴室１の天井には、制御ボックス６が配置されて、制御ボックス６で制御できるように、制御ボックス６と前記水中照明器３，壁付け照明器５は電気的に接続されている。また、制御ボックス６には泡リズムポンプ７が接続されており、泡リズムポンプ７からチューブ８を介し前記噴気口４へ空気を送れるように構成されている。なお、制御ボックス６はリモコン９で操作可能に構成されている。
【０００５】
図２は、前記水中照明器３の一例を示す取付状態の断面概略構成図であり、浴槽２の側壁面に開口２ａを形成させておき、この開口２ａに、パッキン１０を介し水密状に水中照明器３が取り付けられて、水中照明器３の浴室内側には透光窓３ａが設けられており、水中照明器３内には、色の異なるＬＥＤ１，２，３が内装されたものとなっている。
なお、ＬＥＤ１は赤色の光を発光することができ、またＬＥＤ２は緑色の光を発光することができ、またＬＥＤ３は青色の光を発光することができるＬＥＤで構成されている。
【０００６】
図３に概略配線図で示すものは、前記リモコン９の操作スイッチ部であり、リモコン９には、標準スイッチ２０と、ヒーリング１スイッチ２１と、ヒーリング２スイッチ２２と、連動スイッチ２３が設けられており、また、その下方には、左右にアップダウン式の調光ボタン２４ａ，２４ｂが配置されており、その中央部には、透光窓２５が配置され、透光窓２５の下方には色順表示２８が印刷されており、この色順表示２８は、赤，緑，青，黄色，紫，青緑，白の順番に色を配置させたもので、調光ボタン２４ａ，２４ｂが押される度に順次切り換えられる色の順番を表示したものである。
【０００７】
なお、図４は内部構造を示すが、前記透光窓２５の裏側には弱い光を発光する５個の調光レベル用のＬＥＤ２６が配列されており、また、その上方のリモコン９内部には、別途、水中照明用の高輝度の赤，緑，青からなるＬＥＤ２７が設けられている。
【０００８】
前記リモコン９の標準スイッチ２０が押された時には、浴室１内を照明する壁付け照明器５が点灯され、水中照明器３はＯＦＦ状態となるように設定されている。
また、ヒーリング１スイッチ２１が押された時には、壁付け照明器５がＯＦＦされて、水中照明器３の青色のＬＥＤ３がＯＮされて、浴槽２内に青色の光が照射されるように設定されている。
また、ヒーリング２スイッチ２２が押された時には、壁付け照明器５がＯＦＦされて、水中照明器３の赤，緑，青の３色のＬＥＤ１，２，３がそれぞれ点灯して、赤，緑，青の色が混合された白色の光が浴槽２内に照射されるように設定されている。
また、連動スイッチ２３がＯＮされた状態では、別途、設けられた泡リズムスイッチ１１を使用者がＯＮした時に泡リズムポンプ７が作動されて、噴気口４から浴槽２内に気泡が噴出されると同時に、壁付け照明器５がＯＦＦされて、水中照明器３がＯＮされ、浴槽２内に水中照明器３からの光が照射されるように設定されており、水中照明器３からの光が泡に当たり浴槽２の水中がより良好に演出されるものである。
【０００９】
なお、本例では、水中照明器３の赤，緑，青の各ＬＥＤ１，２，３を適宜点灯させて、浴槽２内に照射される光の色を変化させることができ、赤色のＬＥＤ１が点灯されている状態から、右側の調光ボタン２４ｂを押す度に、赤色から緑色のＬＥＤ２に点灯が切り替わり、さらに青色のＬＥＤ３に点灯が切り替わって、赤から緑色、さらには青色になり、さらに調光ボタン２４ｂを押すことにより、黄色，紫，青緑，白の順番に光の色が切り替えられるように構成されている。
即ち、赤，緑，青色の各ＬＥＤの何れか、または２以上を点灯させることにより、色が混ざり合って、黄色とか紫とか青緑の色が形成されるものであり、さらに赤，緑，青の全ての色のＬＥＤを点灯させることにより白色が得られるのである。なお、左側の調光ボタン２４ａは、押す度に逆方向に色が切り替えられるものである。
【００１０】
このようにして調光ボタン２４ａまたは２４ｂを押して、アップダウン式で水中照明器３から発せられる光の色を変化させることができて、浴槽２内を良好に好みの色で演出することができるものである。
なお、前記ヒーリング１スイッチ２１は、最も好まれる青色の光を瞬時に照射させるために設けられており、また、ヒーリング２スイッチ２２は、乳濁色に水中を演出するために設けられたものである。
【００１１】
なお、本例では、透光窓２５の内側に設けられている水中照明用ＬＥＤ２７が水中照明器３と連動して点灯されて、水中照明器３から発せられている色と同色の色を透光窓２５から外側へ照射させ、現在、浴槽２内がどのような色で演出されているかをリモコン９で容易に認識することができるように構成されており、ＬＥＤ２７は明るい光を発して、透光窓２５から外側へ明るい光を放つため、この光によりリモコン９の位置を容易に確認できるものとなる。即ち、水中照明器３が作動されている時には、壁付け照明器５の明るさが低下されるか又はＯＦＦされて浴室１内が暗くなっているため、リモコン９の位置が判りにくくなるといけないために、透光窓２５からの光で容易にリモコン９の位置が確認できるように構成されている。
【００１２】
なお、水中照明器３から発せられる色とＬＥＤ２７から発せられる色を同期させたことで、調光ボタン２４ａまたは２４ｂを容易に操作して、浴槽２の水中に発せられる色を確認でき、操作性が良好なものとなる。また、色順表示２８が設けられているため、次にどの色が発光されるかを認識することができ、より操作性が良好なものとなる。
【００１３】
なお、前記標準スイッチ２０がＯＮされて、水中照明器３がＯＦＦされ、壁付け照明器５が点灯された状態では、リモコン９内のＬＥＤ２７はＯＦＦされ、逆に、調光レベル用のＬＥＤ２６が点灯されて、透光窓２５から点灯されたＬＥＤ２６の光が漏れ出すように構成されており、調光ボタン２４ｂを押す度に、壁付け照明器５の照度が高められて室内が明るくなり、逆に、調光ボタン２４ａを押す度に、壁付け照明器５の照度が落ちて室内が暗くなるように構成されており、調光レベル用のＬＥＤ２６が１個点灯している時が最も室内が暗く、５個全部が点灯している時が最も浴室内が明るくなるように設定されている。従って、壁付け照明器５の光量が増える度に調光レベル用のＬＥＤ２６の点灯数が増すため、透光窓２５を見て、壁付け照明器５の現在の明るさを容易に認識することができるものとなる。
【００１４】
【発明の効果】
本発明は、浴槽に設けられたＬＥＤの光を用いた演出照明器を、浴室内を照らす室内照明器と連動させ、前記演出照明器の作動時には、前記室内照明器の明るさを低下またはＯＦＦさせるように構成した演出照明装置において、前記演出照明器は浴槽の側壁面の開口に取り付けられて、浴槽内の水中に没する部位に設けられ、赤，緑，青のＬＥＤの光で多くの色を発光可能に構成されてなり、演出照明装置の操作スイッチ部により、前記演出照明器の光の色の切り替え操作ができるとともに、前記室内照明器の光量を操作できるように構成され、該操作スイッチ部には、１つの透光窓が設けられ、前記演出照明器の作動時には、操作スイッチ部内の赤，緑，青のＬＥＤを介し、演出照明器から発せられる光と同色の色を該透光窓から外側へ照射させ、前記演出照明器がＯＦＦされ室内照明器が点灯された状態では、操作スイッチ部内の別の調光レベル用の複数のＬＥＤを介し、該室内照明器の光量に対応した明るさの光が前記透光窓から漏れ出すように構成したことにより、浴槽内を良好に好みの色で演出することができ、操作スイッチにより、浴槽の水中に発せられる光を確認でき、操作性が良好なものとなる。また、透光窓を見て室内照明器の現在の明るさを容易に認識することができ、操作性が良好なものとなる。
【図面の簡単な説明】
【図１】  水中照明器を取り付けた浴槽が設置された浴室の概略構成図である。
【図２】  浴槽に取り付けられた水中照明器の断面拡大構成図である。
【図３】  水中照明器操作用のリモコンの正面構成図である。
【図４】  リモコン内に設けられたＬＥＤの配置構成図である。
【符号の説明】
１  浴室
２  浴槽
３  水中照明器（演出照明装置）
４  噴気口
５  壁付け照明器（室内照明）
６  制御ボックス
７  泡リズムポンプ（浴槽内に気泡を吹き出させる装置）
８  チューブ
９  リモコン
１１  泡リズムスイッチ
２０  標準スイッチ
２１  ヒーリング１スイッチ
２２  ヒーリング２スイッチ
２３  連動スイッチ
２４ａ，２４ｂ  調光ボタン
２５  透光窓
２６  調光レベル用ＬＥＤ
２７  水中照明用ＬＥＤ
２８  色順表示
【図１】
0003933842.tif 000002
【図２】
0003933842.tif 000003
【図３】
0003933842.tif 000004
【図４】
0003933842.tif 000005